(57)【要約】【課題】より簡便に不意に結合が解除されることを防止可能な結合金具を提供する。【解決手段】結合金具１を、係合突起２５及び係合突起２５と連続する摺動部２６を有する差し金具２と、爪３１を有する受け金具３と、差し金具２に螺合によって取付けられると共に押し輪部４０を有する螺合筒４と、を備えるものとし、爪３１を、差し金具２が受け金具３に差込まれた際に、該係合突起と係合可能に設け、押し輪部４０を、螺合筒４を回すことで、摺動部２６に沿って摺動可能に設け、押し輪部４０の摺動によって、爪３１と係合突起２５との係合を解除可能とする。【選択図】図１
0003214247.tif 000002
【実用新案登録請求の範囲】
【請求項１】
係合突起及び該係合突起と連続する摺動部を有する差し金具と、
爪を有する受け金具と、
該差し金具に螺合によって取付けられると共に押し輪部を有する螺合筒と、を備え、
該爪は、該差し金具が該受け金具に差込まれた際に、該係合突起と係合可能に設けられ、
該押し輪部は、該螺合筒を回すことで、該摺動部に沿って摺動可能に設けられており、
該押し輪部の摺動によって、該爪と該係合突起との係合を解除可能になっていることを特徴とする結合金具。
【請求項２】
前記差し金具は、前記係合突起及び前記摺動部の代わりに前記爪を有し、
前記受け金具は、該爪の代わりに該係合突起及び該摺動部を有しており、
前記螺合筒は、該受け金具に螺合よって取付けられていることを特徴とする請求項１に記載の結合金具。
【請求項３】
前記爪は、前記受け金具の内面側に設けられていると共に該受け金具の内径方向に爪発条によって付勢され、
前記係合突起及び前記摺動部は、前記差し金具の外面側に設けられており、
前記螺合筒は、前記差し金具の外面側に螺合されていることを特徴とする請求項１に記載の結合金具。
【請求項４】
前記螺合筒は、多条螺子によって、前記差し金具又は前記受け金具に螺合されることを特徴とする請求項１乃至３の何れかに記載の結合金具。
【請求項５】
前記螺合筒が、前記爪と前記係合突起とが係合可能な位置に位置していることを通知する通知手段を更に備えることを特徴とする請求項１乃至４の何れかに記載の結合金具。
【請求項６】
前記通知手段は、プランジャーであり、
前記螺合筒は、該プランジャーと当接可能に設けられたピン部又は該プランジャーを収納可能に設けられた穴部を更に有していることを特徴とする請求項５に記載の結合金具。
【請求項７】
請求項１乃至６の何れかに記載の結合金具に用いられることを特徴とする差し金具。
【請求項８】
請求項１乃至６の何れかに記載の結合金具に用いられることを特徴とする螺合筒。
【考案の詳細な説明】
【技術分野】
【０００１】
本考案は、結合金具並びにそれに用いられる差し金具及び螺合筒に関し、より詳細には、差込式の結合金具並びにそれに用いられる差し金具及び螺合筒に関する。
【背景技術】
【０００２】
従来、消防ホース等の結合するために用いられる差込式の結合金具がある（例えば、特許文献１及び２を参照）。この様な結合金具は、差し金具と受け金具の２つのパーツよりなっており、受け金具に爪発条により内径方向に付勢された複数の爪が設けられていると共に差し金具に爪と係合可能に設けられた凹条が形成されており、差し金具が受け金具に差込まれた際に、爪と凹条とが係合することにより結合されるものである。
【０００３】
又、この様な結合金具には、結合を解除するための押し輪が設けられている。押し輪は、軸方向に摺動可能となっていると共に指掛可能に設けられた鍔部（フランジ）を有しており、鍔部に指を掛け、押し輪を摺動させて、爪を介して爪発条を外径方向へと押し上げることにより、爪と凹条とが係合が解除され、結合金具の結合が解除される様になっている。
【０００４】
差込式の結合金具は、例えば、消防用のホースの連結に用いられている。押し輪は、特にその摺動が規制される様にできているものではなかったため、ホースが不慮に動揺し、押し輪が何かに引っ掛ってしまい軸方向へと摺動してしまうと爪と凹条とが係合が解除され、差し金具と受け金具とが不意に離脱してしまう可能性があるという問題があった。
【０００５】
そこで、この不意の離脱を防止した差込式の結合金具が開発されている（特許文献３を参照）。特許文献３に記載された結合金具においては、ロック部材を別個に設け、押し輪の摺動をロック部材でロックすることにより、不意に差し金具と受け金具との結合が解除されることを防止している。
【先行技術文献】
【特許文献】
【０００６】
【特許文献１】特開２０１３−７９６５９号公報
【特許文献２】特開２０１３−９２１７２号公報
【特許文献３】特開２００４−１１８６０号公報
【考案の概要】
【考案が解決しようとする課題】
【０００７】
特許文献３に記載の結合金具においては、差し金具と受け金具とを結合した後に、更にロック部材を結合金具に掛けるという作業が必要であり、作業が煩雑となるという問題があった。特に、迅速性が求められる火災現場においては、全ての結合金具にロック部材を掛けることは、現実的ではなく、ロック部材が掛けられていても一部の結合金具に留まっているという実情がある。
【０００８】
そこで、本考案は、この様な火災現場における実情を考慮し、より簡便に不意に結合が解除されることを防止可能な結合金具を提供することを目的とする。
【課題を解決するための手段】
【０００９】
本考案は、係合突起及び該係合突起と連続する摺動部を有する差し金具と、爪を有する受け金具と、該差し金具に螺合によって取付けられると共に押し輪部を有する螺合筒と、を備え、該爪は、該差し金具が該受け金具に差込まれた際に、該係合突起と係合可能に設けられ、該押し輪部は、該螺合筒を回すことで、該摺動部に沿って摺動可能に設けられており、該押し輪部の摺動によって、該爪と該係合突起との係合を解除可能になっていることを特徴とする結合金具である。又、本考案は、前記結合金具に用いられることを特徴とする差し金具である。又、本考案は、前記結合金具に用いられることを特徴する螺合筒である。
【００１０】
尚、本考案は、前記差し金具が、前記係合突起及び前記摺動部の代わりに前記爪を有し、前記受け金具が、該爪の代わりに該係合突起及び該摺動部を有するものとし、前記螺合筒を、該受け金具に螺合よって取付ける様にしてもよい。又、本考案は、前記爪を、前記受け金具の内面側に設けられていると共に該受け金具の内径方向に爪発条によって付勢し、前記係合突起及び前記摺動部を、前記差し金具の外面側に設け、前記螺合筒を、前記差し金具の外面側に螺合する様にしてもよい。又、本考案は、前記螺合筒を、多条螺子によって、前記差し金具又は前記受け金具に螺合するようにしてもよい。又、本考案は、前記螺合筒が、前記爪と前記係合突起とが係合可能な位置に位置していることを通知する通知手段を更に備えていてもよい。又、本考案は、前記通知手段を、プランジャーとし、前記螺合筒に、該プランジャーと当接可能に設けられたピン部又は該プランジャーと収納可能に設けられた穴部を更に有するものとしてもよい。
【考案の効果】
【００１１】
本考案は、差し金具又は受け金具の内、係合突起を有する側に螺合によって取付けられる螺合筒に押し輪部を設け、該螺合筒を回すことにより、該押し輪部が摺動し、該係合突起と爪とを係合を解除するものとしたため、より簡便に不意に差し金具と受け金具との結合が解除されることを防止することが可能である。
【図面の簡単な説明】
【００１２】
【図１】本考案の第１実施形態を示す図であり、（ａ）は、差し金具と受け金具とが係合させた状態を示す片側断面図であり、（ｂ）は、差し金具と受け金具との係合が解除された状態を示す片側断面図であり、（ｃ）は、螺合筒の片側断面図である。
【図２】本考案の第２実施形態を示す図であり、（ａ）は、片側断面図であり、（ｂ）は平面図である。
【図３】本考案の第３実施形態を示す片側断面図である。
【考案を実施するための形態】
【００１３】
本考案の第１実施形態を図１に基づき説明する。結合金具１は、例えば、消防ホース（図示せず）の結合に用いられ、差し金具２、受け金具３及び螺合筒４を備えている。差し金具２は、結合したい消防ホースの一方に接続され、受け金具３は、該消防ホースの他方に接続される。
【００１４】
差し金具２は、その内方に消火水等の流路Ｆが形成された略筒状、例えば、略円筒状をなしており、その外面側に受け金具３の孔部３０に差込可能に設けられた差込部２０が設けられていると共にその基端１ｂ側にホース（図示せず）が接続可能に設けられたホース継手部２１が設けられている。又、差し金具２は、差込部２０とホース継手部２１との間にクリック部２２が更に設けられている。
【００１５】
差込部２０は、その外面の先端１ａ側に、係合突起２５が設けられていると共に係合突起２５と連続する摺動部２６を有している。又、差込部２０には、摺動部２６の基端１ｂ側と連続する外面に螺条２７が設けられている。螺条２７は、後述する螺合筒４の螺条４１と螺合可能に設けられており、詳細な形状については、図示を省略するが、本実施形態においては、多条螺子、例えば、二条螺子となっている。
【００１６】
クリック部２２は、差し金具２を受け金具３に差込んだ際に、後述する爪３１と係合突起２５とが係合可能な位置に螺合筒４が位置していることを、クリック音をもって、使用者に通知するために設けられており、通知手段の一例であるプランジャー２２ａ及びプランジャー２２ａを取付けるための取付孔２２ｂが設けられている。本実施形態においては、クリック部２２は、螺合筒４が最も基端１ｂ側に位置した際に、螺合筒４と当接又は近接する位置に設けられている。
【００１７】
ホース継手部２１は、差し金具本体２３とは、別部材で構成されており、ホース継手部２１と差し金具本体２３とがベアリング２４を介して接続されていることで、ホース継手部２１は、周方向に回動自在となっている。そのため、ホース継手部２１とは別に、例えば、差し金具本体２３に螺合筒４を回す際に把持される把持部が設けられる。又、クリック部２２も回動しない様に、ホース継手部２１とは別に設けられる様に、差し金具本体２３に設けられている。尚、ホース継手部２１は、消防用ホースに挿着されるタイプであるが、例えば、螺着等の他のタイプを適宜採用することが可能である。
【００１８】
本実施形態においては、クリック部２２が前記把持部を兼ねており、そのため、クリック部２２は、少なくとも、消火活動等の際に、防火手袋を着装した状態で保持し、確実に操作の行える幅に形成され、好ましくは、差し金具２に大きさが小さくなる様にその範囲で、なるべく狭い幅で形成される。又、クリック部２２は、その外面の全部もしくは一部がローレット加工されていると共に濡れた防火手袋で握った際においても保持し易くなる様に、対向する位置に形成された１対の切欠部２８を更に有している。
【００１９】
受け金具３は、その内方に流路Ｆの一部を構成する孔部３０が設けられた略筒状、例えば、略円筒状をなしており、孔部３０の基端１ｂ側に周方向に離間して配設された爪３１が設けられている。又、受け金具３は、その先端１ａ側にホース継手３２が設けられている。ホース継手３２は、ホース継手２１と同様に必要に応じて様々なものが選択可能である。
【００２０】
爪３１は、爪発条３３によって内径方向Ａ３に付勢がさせており、差し金具２が受け金具３に差込まれた際に、係合突起２５によって一旦外径方向（内径方向Ａ３とは逆側の方向）に引っ込む様になっており、係合突起２５及び後述する押し輪部４０によって形成された凹条５と爪３１が対向する位置まで差し金具２が受け金具３に差込まれると、再度、爪発条３３によって内径方向Ａ３へと飛出し、係合突起２５と係合する様になっている。
【００２１】
本実施形態において、爪３１及び爪発条３３は、孔部３０の内面に形成された凹部３４内に収められる様に受け金具３に取付けられている。このため、爪３１は、基端１ｂ側の面がテーパー面３１ａとなっていることが望ましい。又、凹部３４は、120°間隔で周方向に離間して三箇所に設けられており、それに伴って、爪３１も三箇所に設けられているが、爪３１の数、形状等は必要に応じて適宜選択可能である。
【００２２】
螺合筒４は、略筒状、例えば、略円筒状をなしており、その先端１ａ側に押し輪部４０を有していると共にその内面に差し金具２の螺条２７と螺合可能に形成された螺条４１が設けられている。螺条４１の詳細な形状等については図示を省くが、本実施形態においては、螺条２７に合せて、多条螺子、例えば二条螺子となっている。又、螺合筒４は、その基端１ｂ側に穴部４２が設けられていると共に押し輪部４０を除く部分の外面の全部もしくは一部がローレット加工されている。
【００２３】
押し輪部４０は、受け金具３の爪３１と差し金具２の係合突起２５との係合を解除し、差し金具２を受け金具３から離脱させるために設けられている。押し輪部４０は、螺合筒４を締方向Ａ１又は緩方向Ａ２の何れかに回すことにより、差し金具２の摺動部２６に沿って摺動可能に設けられており、螺合筒４を締方向Ａ１に回すことで差し金具２の基端１ｂ側に向けて、螺合筒４を緩方向Ａ２に回すことで差し金具２の先端１ａ側に向けて、摺動部２６に沿って摺動する様になっている。
【００２４】
それによって、押し輪部４０は、螺合筒４が締められた際に、差し金具２の係合突起２５と共に凹条５を形成すると共に、螺合筒４が緩められた際に、凹条５に収められた受け金具３の爪３１を外径方向へ押し上げ、受け金具３の爪３１と差し金具２の係合突起２５との係合を解除する様になっている。
【００２５】
即ち、押し輪部４０は、螺条筒４を締方向Ａ１又は緩方向Ａ２に回すことで、容易に摺動部２６に沿って摺動させることが可能になっている一方、単に軸方向Ａ４へと押し輪部４０を押引しただけでは、摺動しない様になっていることとなり、螺条２７，４１は、押し輪部４０の摺動規制手段として働くこととなる。
【００２６】
穴部４２は、螺合筒４が、受け金具３の爪３１と差し金具２の係合突起２５とが係合可能な位置に位置した際に、クリック部２２のプランジャー２２ａが収容される様になっている。即ち、螺合筒４を、締方向Ａ１へと回していくと螺合筒４とプランジャー２２ａとが当接し、更に、螺合筒４を締方向Ａ１へと回すとプランジャー２２ａは螺合筒４によって一旦引込められる。そして、穴部４２とプランジャー２２ａとが対向する位置までくると、プランジャー２２ａは、再度、穴部４２へ向かって飛び出すことでクリック音がなる様になっている。
【００２７】
消防用ホースを結合するために、差し金具２を受け金具３に差込む際には、予め、螺合筒４をプランジャー２２ａによるクリック音がするまで締方向Ａ１に回しておき、差し金具２の差込部２０を受け金具３の孔部３０へと挿入する。そうすると、受け金具３の爪３１は、凹条５に収まる形で、差し金具２の係合突起２５と係合し、消防用ホースの結合は、完了する。
【００２８】
消防用ホースの結合を解除する際には、螺合筒４を緩方向Ａ２に回していき、押し輪部４０を摺動部２６に沿って摺動させる。そうすると、螺合筒４の押し輪部４０は、テーパー面３１ａに沿って、爪３１の内方に徐々に入り込んでいき、爪３１を外径方向へと押し上げる。そして、押し輪部４０が、係合突起２５と当接又は近接する位置まで、押し輪部４０を摺動させると、爪３１と係合突起２５との係合が解除され、差し金具２を受け金具３から抜くことが可能となる。
【００２９】
従って、結合金具１において、押し輪部４０は、螺合筒４が緩方向Ａ２へと回されない限り、先端１ａ側への摺動が規制されていることとなる。螺子を回すという動作は、人為的に行われない限り起こり難い動作であり、そのため、結合金具１は、ホースが不慮に動揺した際であっても不意に結合が解除されることが防止されていることとなる。
【００３０】
又、螺合筒４を回すことによって、押し輪部４０が摺動する様になっているため、従来必要であった鍔部が不要となっており、ホースが不慮に動揺した際に何かに引っ掛る可能性ある部分を極力排除することが可能となっており、この点からもホースが不慮に動揺した際であっても不意に結合が解除されることが防止されていることとなる。
【００３１】
そして、押し輪部４０の摺動をロックするために追加的な作業が不要となっており、火災現場等の迅速性の求められる現場においても、不意に結合が解除されることが防止することが可能である。
【００３２】
寒冷地で冬場に消火活動を行う際に、結合金具には消火水が降りかかるため、従来の結合金具においては、押し輪が消火水によって凍結してしまい結合金具の結合を解除することが困難となる場合がある。押し輪部４０を螺合筒４の一部分として設けた副次的な効果として、結合金具１は、螺合筒４を回すことによって押し輪部４０が摺動可能となっているため、押し輪部４０が凍結してしまい人力での摺動が困難となったとしても、レンチやスパナ等の既存の工具をもって、螺合筒４を回すことが可能であるため、従来の結合金具にあった、凍結による問題も解消することが可能である。
【００３３】
本実施形態においては、切欠部２８を利用して、レンチ（スパナ）によって、差し金具本体２３を挟持できる様になっており、より容易にレンチ（スパナ）を用いて、螺合筒４を回して押し輪部４０を摺動させることができる様になっている。
【００３４】
本発明を、上記実施形態に基づき説明したが、本発明は、上記実施形態に限定されるものではなく、発明の要旨を変更しない範囲で適宜変更可能である。
【００３５】
例えば、（１）本発明の第２実施形態（図２を参照、第１実施形態と同一符号で示した構成は、第１実施形態と同様であるので説明を省略する）の様に、螺合筒４に穴部４２を設ける代わりにピン部４３を設け、プランジャー２２ａがピン部４３を乗り越える様にすることで、上記クリック音を鳴らすようにしてもよい。
【００３６】
（２）本発明の第３実施形態（図３を参照、第１実施形態と同一符号で示した構成は、第１実施形態と同様であるので説明を省略する）の様に、ホース継手部２１を差し金具本体２３と別部材とはせずに、それらを一体的に設けることも可能である。本実施形態においては、螺合筒４を回す際に、第１実施形態と同様にクリック部２２を把持してもよいが、第１実施形態とは異なり、ホース継手部２１が回動自在とはなっていないため、螺合筒４を回す際に、ホース継手部２１を把持する様にすることもまた可能である。そのため、本実施形態においては、前記把持部を設けない様にすることも可能である。
【００３７】
（３）上記実施形態においては、差し金具２に係合突起２５を設け、受け金具３側に爪３１を設けたが、差し金具２に爪３１を設け、受け金具３に係合突起２５を設ける様にしてもよい。この場合、螺合筒４は、受け金具３側に螺着される。
【００３８】
（４）上記実施形態においては、螺条２７，４１を螺合筒４の可動範囲において、螺合筒４と差し金具２との螺合が常に保たれる長さで設けたが、螺条２７，４１を基端１ｂ側の一部に設け、螺合筒４をある程度、緩方向Ａ２に回した後は、螺合筒４と差し金具２との螺合が解除されるものとして、螺合筒４を自由に軸方向Ａ４に摺動できる様にしてもよい。
【００３９】
（５）上記実施形態においては、クリック部２２を設けたが、クリック部２２は必要に応じて適宜設けられるものである。又、上記実施形態においては、クリック部２２が、前記把持部を兼ねるものとしたが、該把持部をクリック部２２とは、別けて設けることも可能である。
【符号の説明】
【００４０】
１      結合金具            １ａ    先端                １ｂ    基端
２      差し金具            ２０    差込部              ２１    ホース継手部
２２    クリック部          ２２ａ  プランジャー        ２２ｂ  取付孔
２３    差し金具本体        ２４    ベアリング          ２５    係合突起
２６    摺動部              ２７    螺条                ２８    切欠部
３      受け金具            ３０    孔部                ３１    爪
３１ａ  テーパー面          ３２    ホース継手          ３３    爪発条
３４    凹部                ４      螺合筒              ４０    押し輪部
４１    螺条                ４２    穴部                ４３    ピン部
５      凹条                Ａ１    締方向              Ａ２    緩方向
Ａ３    内径方向            Ａ４    軸方向              Ｆ      流路
【図１】
0003214247.tif 000003
【図２】
0003214247.tif 000004
【図３】
0003214247.tif 000005